(57)【特許請求の範囲】
【請求項１】
放射線取扱施設にて作業者に携帯される線量計と、当該線量計の測定結果を監視する監視装置とを含む放射線管理システムであって、
前記線量計は、
前記監視装置と無線通信する無線通信部と、
放射線の線量を測定する線量測定部と、
同一の表示領域に複数の表示画面を切り替えて表示可能な表示部と、
前記表示部を制御する表示制御部と、
を備え、
前記監視装置は、
前記線量計と無線通信する無線通信部と、
前記表示部の表示画面を切り替えさせる画面切替指令を作成する画面切替指令作成部と、
を備え、
前記表示制御部は、前記監視装置から無線送信された前記画面切替指令に基づき、前記表示部における同一の表示領域に複数の表示画面を切り替えて表示するよう制御することを特徴とする放射線管理システム。
【請求項２】
前記監視装置は、前記線量計の管理指標を記憶する管理指標記憶部をさらに備え、
前記画面切替指令作成部は、前記管理指標が限度値に到達する前の所定閾値に到達した場合、当該管理指標が表示される表示画面へ切り替えさせる指令を作成することを特徴とする請求項１に記載の放射線管理システム。
【請求項３】
前記管理指標は、積算線量、線量率、残作業時間の少なくとも１つを含むことを特徴とする請求項２に記載の放射線管理システム。
【請求項４】
放射線取扱施設にて作業者に携帯される線量計であって、
積算線量を測定するための放射線の線量を測定する線量測定部と、
放射線管理区域への入域時間と作業時間とから残作業時間を管理するタイマと、
同一の表示領域に複数の表示画面を切り替えて表示可能な表示部と、
前記表示部を制御する表示制御部とを備え、
前記表示制御部は、前記積算線量が限度値に到達する前の所定閾値に到達した場合、前記表示領域に前記積算線量の表示画面を切り替えまたは維持させ、
前記残作業時間が限度値に到達する前の所定閾値に到達した場合、前記表示領域に前記残作業時間の表示画面を切り替えまたは維持させる制御を行うことを特徴とする線量計。
【請求項５】
物理量を電気信号に変換するセンサ部をさらに備え、
前記表示制御部は、前記センサ部からの電気信号に基づいて、前記表示領域の表示画面を切り替える制御を行うことを特徴とする請求項４に記載の線量計。
【請求項６】
前記線量測定部は半導体検出器であり、
前記センサ部は加速度センサであり、
前記表示制御部は、前記加速度センサが検知する加速度に基づき、前記表示領域の表示画面を切り替える制御を行うことを特徴とする請求項５に記載の線量計。
【請求項７】
前記表示制御部は、前記線量計を振る操作で前記加速度センサが検知する加速度に基づき、前記表示領域の表示画面を切り替える制御を行うことを特徴とする請求項６に記載の線量計。
【発明の詳細な説明】
【技術分野】
【０００１】
本発明は、放射線取扱施設の作業者が携帯する線量計を制御することができる放射線管理システム及びその線量計に関する。
【背景技術】
【０００２】
従来、原子力発電所等の放射性物質や放射線を取り扱う放射線取扱施設にあっては、特許文献１に開示されているように、放射線管理区域内で作業する各々の作業者が線量計を携帯している。特許文献１では、線量計が無線交信部を備え、この無線交信部を介して線量計と、積算線量等を管理する管理用計算機とが無線交信できるようになっている。線量計は、文字や画像を表示する表示部と、ブザーや音声を発する警報部とをさらに備えている。また、作業者の要求に応じ、線量計が管理用計算機から積算線量等の情報を受信して表示でき、作業者は自分の積算線量等を把握しながら作業することができる。
【先行技術文献】
【特許文献】
【０００３】
【特許文献１】特開平１１−３２６５２０号公報
【発明の概要】
【発明が解決しようとする課題】
【０００４】
特許文献１にあっては、線量計において積算線量等の各情報の受信や表示を行うため、キーボードやタッチパネル等からなる操作部を操作することが必要となる。ところが、放射線管理区域内での作業は、手袋を着用するため、指先による操作部の操作が困難になる。更には、線量計は防護服の内側に装着して携帯される場合があり、操作部が防護服越しに操作されるため、かかる操作がより困難となる。従って、作業者による線量計の操作をできるだけ少なくしつつ、各種情報の表示を行えるようにすることが望まれていた。
【０００５】
本発明は、かかる点に鑑みてなされたものであり、表示画面を切り替えるための操作の負担を軽減することができる放射線管理システム及び線量計の提供を目的とする。
【課題を解決するための手段】
【０００６】
本発明の放射線管理システムは、放射線取扱施設にて作業者に携帯される線量計と、当該線量計の測定結果を監視する監視装置とを含む放射線管理システムであって、前記線量計は、前記監視装置と無線通信する無線通信部と、放射線の線量を測定する線量測定部と、同一の表示領域に複数の表示画面を切り替えて表示可能な表示部と、前記表示部を制御する表示制御部と、を備え、前記監視装置は、前記線量計と無線通信する無線通信部と、前記表示部の表示画面を切り替えさせる画面切替指令を作成する画面切替指令作成部と、を備え、前記表示制御部は、前記監視装置から無線送信された前記画面切替指令に基づき、前記表示部における同一の表示領域に複数の表示画面を切り替えて表示するよう制御することを特徴とする。
【０００７】
この構成によれば、監視装置から送信される指令に応じて表示部で表示される表示画面を切り替えることができる。言い換えると、表示画面を切り替えるための作業者の操作を省略することができ、作業者の負担軽減を図ることができる。
【０００８】
前記監視装置は、前記線量計の管理指標を記憶する管理指標記憶部をさらに備え、前記画面切替指令作成部は、前記管理指標が限度値に到達する前の所定閾値に到達した場合、当該管理指標が表示される表示画面へ切り替えさせる指令を作成するとよい。この構成では、作業者が線量計を操作することなく、管理指標の測定値が限度値になる前に、当該測定値を含む表示画面に切り替えることができる。
【０００９】
前記管理指標は、積算線量、線量率、残作業時間の少なくとも１つを含むとよい。これらを含むことで、放射線取扱施設で管理すべき指標（値）を表示することができる。
【００１０】
本発明の放射線管理システムは、放射線取扱施設にて作業者に携帯される線量計であって、積算線量を測定するための放射線の線量を測定する線量測定部と、放射線管理区域への入域時間と作業時間とから残作業時間を管理するタイマと、同一の表示領域に複数の表示画面を切り替えて表示可能な表示部と、前記表示部を制御する表示制御部とを備え、前記表示制御部は、前記積算線量が限度値に到達する前の所定閾値に到達した場合、前記表示領域に前記積算線量の表示画面を切り替えまたは維持させ、記残作業時間が限度値に到達する前の所定閾値に到達した場合、前記表示領域に前記残作業時間の表示画面を切り替えまたは維持させる制御を行うことを特徴とする。
【００１１】
この構成によれば、積算線量及び残作業時間の何れかが所定閾値に到達したことを自動的に表示でき、作業者が線量計を操作する負担をなくしつつ、作業者に積算線量や残作業時間を視認させることができる。
【００１２】
物理量を電気信号に変換するセンサ部をさらに備え、前記表示制御部は、前記センサ部からの電気信号に基づいて、前記表示領域の表示画面を切り替える制御を行うとよい。この構成では、センサ部が検出する物理量を適宜設定することで、作業者が表示画面を簡単に切り替え可能な操作を選択することができる。
【００１３】
前記線量測定部は半導体検出器であり、前記センサ部は加速度センサであり、前記表示制御部は、前記加速度センサが検知する加速度に基づき、前記表示領域の表示画面を切り替える制御を行うとよい。この構成では、線量計の挙動によって表示画面を容易に切り替えることができる。
【００１４】
前記表示制御部は、前記線量計を振る操作で前記加速度センサが検知する加速度に基づき、前記表示領域の表示画面を切り替える制御を行うとよい。この構成では、防護服越しであっても線量計を振る操作によって表示画面の切り替えを行うことができ、キーやボタンを押し下げる操作をなくすことができる。
【発明の効果】
【００１５】
本発明によれば、表示制御部によって表示画面の切り換えを制御するので、表示画面を切り替えるための操作の負担を軽減することができる。
【図面の簡単な説明】
【００１６】
【図１】本発明の実施の形態に係る放射線管理システムの構成図である。
【図２】線量計の外観斜視図である。
【図３】線量計の構成を示すブロック図である。
【図４】線量計における制御部の機能ブロック図である。
【図５】監視装置の構成を示すブロック図である。
【図６】監視装置における制御部の機能ブロック図である。
【図７】表示画面の制御の流れの一例を示すフローチャートである。
【発明を実施するための形態】
【００１７】
以下、本発明の実施の形態について図面を参照しながら具体的に説明する。
【００１８】
図１は、本発明の実施の形態に係る放射線管理システムの構成図である。図１に示すように、放射線管理システム１は、原子力発電所等の放射線取扱施設における放射線管理区域内で作業する作業員が携帯する線量計２と、線量計２に対して基地局３を介して無線通信する監視装置４と、を備えている。基地局３と監視装置４とは、無線又は有線のＬＡＮ（Local Area Network）等の通信網５を介して通信が行われる。基地局３は、放射線管理区域を通信エリアとしてカバーし、当該通信エリアに位置する線量計２と無線通信を行う。なお、線量計２と基地局３とは、図示しない中継器を介して無線通信を行うようにしてもよい。
【００１９】
次に、本実施の形態に係る線量計のハードウェア構成について説明する。図２Ａ及び図２Ｂは、線量計の外観斜視図である。なお、以下の説明において、特に明示しない限り、「上」、「下」、「左」、「右」、「前」、「後」は、図２Ａの矢印Ａ方向から見た場合を基準として用いる。
【００２０】
図２Ａ及び図２Ｂに示すように、線量計２は、筐体２１と、筐体２１の外周に装着されたクリップ２２とを備えている。筐体２１の左側面には、操作ボタン２３が設けられている。操作ボタン２３は、上から下に向かって並ぶ確定ボタン２３ａ、上側選択ボタン２３ｂ、及び下側選択ボタン２３ｃを含んで構成される。確定ボタン２３ａが長押しされることによって線量計２が起動する。線量計２の起動後、上側選択ボタン２３ｂ、又は下側選択ボタン２３ｃを押すことによって表示内容の変更等の操作を行うことができる。また、確定ボタン２３ａを瞬間的に押すことによって、上側選択ボタン２３ｂ、又は下側選択ボタン２３ｃによって選択した操作を確定できる。
【００２１】
クリップ２２は、線量計２を使用する際に、防護服等に引っ掛けて固定するためのものである。クリップ２２は、筐体２１にねじ等の固定治具によって取り付けられる。クリップ２２は、筐体２１の前面側に形成された前側引っ掛け部２２ａ（図２Ｂでは不図示）と、筐体２１の後面側に形成された後側引っ掛け部２２ｂ（図２Ａでは不図示）とを備えている。
【００２２】
線量計２は、筐体２１の上側に表示領域２５を備え、表示領域２５は、前方に向かうに従って下降する傾斜面に沿って設けられている。表示領域２５は、後述する管理指標を含む表示画面を作業者に対して表示可能に設けられている。
【００２３】
図３は、線量計の構成を示すブロック図である。図３に示すように、線量計２は、制御部２０１、線量測定部２０２、無線通信部２０３、操作部２０４、表示部２０５、記憶部２０６、タイマ２０７、加速度センサ部（センサ部）２０８及び、電源部２０９を備えている。
【００２４】
制御部２０１は、中央処理装置（ＣＰＵ）等からなり、線量計２全体を制御する。制御部２０１は、記憶部２０６に記憶されているプログラムに従い、線量測定部２０２や無線通信部２０３等から入力される情報に対する各種の演算処理や、各種の制御処理（表示部２０５の表示制御等）を行う。
【００２５】
線量測定部２０２は、放射線を測定可能な半導体検出器等の検出器によって構成され、測定対象としてはγ（Ｘ）線が例示できる。線量測定部２０２は、入射した放射線を計数し、その計数値を線量に変換することによって、線量値を測定して制御部に出力する。
【００２６】
無線通信部２０３は、通信インターフェースであり、監視装置４に対して基地局３を通じ（図１参照）、無線通信により各種情報、データ、指令の送受信を行う。例えば、制御部２０１に出力された線量測定部２０２の測定結果情報を監視装置４に送信し、この情報に基づき監視装置４にて処理された各種の情報を受信する。
【００２７】
操作部２０４は、操作ボタン２３（図２参照）を含み、作業者等からの操作によるデータを取得して制御部２０１に出力する。
【００２８】
表示部２０５は、表示領域２５（図２参照）を有し、液晶ディスプレイや有機ＥＬディスプレイ等とそのコントローラとにより構成されている。表示部２０５は、表示領域２５に対し、表示画面として制御部２０１の演算結果を文字や画像、グラフ、その他のアイコン等として表示する。
【００２９】
記憶部２０６は、ＲＡＭやＲＯＭ、不揮発性メモリ等を備えている。ＲＯＭでは、制御部２０１が各種の演算、制御を行うためのプログラムや、アプリケーションとして機能するためのプログラム、データ等が記憶される。ＲＡＭは、制御部２０１の作業領域として用いられたり、線量測定部２０２の測定結果情報や、無線通信部２０３により受信された情報等が制御部２０１を介して記憶される。ＲＡＭでは、ＲＯＭから読み出されたプログラムやデータ、操作部２０４から入力されたデータ、制御部２０１が各種プログラムに従って実行した演算結果等が一時的に記憶される。不揮発性メモリでは、制御部２０１の演算によって生成されたデータのうち、長期的な保存が必要なデータが記憶される。
【００３０】
タイマ２０７は、測定開始時からの経過時間を測定したり、予め設定した時間までの残時間を測定したりする機能を備え、その測定結果を制御部２０１に出力する。タイマ２０７は、放射線管理区域への入域時間と作業時間とから残作業時間を管理するために利用される。
【００３１】
加速度センサ部２０８は、互いに直交する３方向の加速度を検出する３軸の加速度センサによって構成される。加速度センサ部２０８は、物理量として線量計２の変位に伴う加速度を測定し、その測定結果を電気信号に変換して制御部２０１に出力する。具体例としては、加速度の閾値を設定しておき、当該閾値より大きい加速度となる線量計２の振る操作を検出したことを条件として、制御部２０１に所定の電気信号を出力する。
【００３２】
電源部２０９は、例えば、乾電池等の一次電池や、繰り返しの充放電が可能な二次電池によって構成され、上述の各部に対して電力を供給する。
【００３３】
図４は、線量計における制御部の機能ブロック図である。図４に示すように、本実施の形態に係る制御部２０１は、表示制御部２０１ａ、管理指標作成部２０１ｂ、管理指標比較部２０１ｃとして機能する。これらの機能ブロックは、後述する管理指標の測定のためのプログラムが制御部２０１によって実行されることによって実現される。なお、図４に示す制御部２０１の機能ブロックは、本発明に関連する構成のみを示しており、それ以外の構成については省略している。
【００３４】
表示制御部２０１ａは、所定の条件において、同一の表示領域２５（図２参照）に複数の表示画面を切り替えて表示するよう表示部２０５（図３参照）を制御する。切り替えの条件としては、監視装置４（図１参照）からの指令、管理指標比較部２０１ｃからの指令、操作部２０４（図３参照）及び加速度センサ部２０８（図３参照）の出力等となる。表示画面のデータは、記憶部２０６（図３参照）に予め記憶しておいてもよいし、監視装置４で作成して送信するようにしてもよい。記憶部２０６に予め記憶した表示画面のデータを表示する場合、当該データが監視装置４からの指令や表示制御部２０１ａの処理に関連付けられる。表示制御部２０１ａは、監視装置４からの指令や表示制御部２０１ａの処理に応じた表示画面のデータや線量測定部２０２（図３参照）の測定結果情報が表示領域２５に表示されるよう制御する。
【００３５】
管理指標作成部２０１ｂは、線量測定部２０２で計測した放射線の線量値から積算線量や線量率を演算して求めたり、タイマ２０７（図３参照）の測定結果に基づいて、放射線管理区域への入域時間と作業者の作業時間とから残作業時間を演算して求めたりする。ここにおいて、管理指標は、積算線量や、線量率、残作業時間（入域時間からの経過時間）を含むものである。
【００３６】
管理指標比較部２０１ｃは、管理指標の積算線量、線量率及び残作業時間のそれぞれの限度値に対し、当該限度値に到達する前の閾値（例えば、限度値に０．８を乗じた値）を演算する。そして、管理指標比較部２０１ｃは、演算した閾値と、タイマ２０７や線量測定部２０２の測定結果つまり管理指標の実測値とを比較する。この比較において、管理指標の実測値が閾値に到達した場合、当該管理指標が表示される表示画面へ切り替えさせる指令を表示制御部２０１ａに出力する。なお、閾値は、管理指標比較部２０１ｃで演算せずに、作業者等が予め算出した値を操作ボタン２３（図２参照）等によって入力したり、監視装置４から送信して入力したりして記憶部２０６に記憶させてもよい。
【００３７】
次いで、監視装置４について説明する。図５は、監視装置の構成を示すブロック図である。図５に示すように、監視装置４は、制御部４０１、無線通信部４０３、操作部４０４、表示部４０５、記憶部４０６、タイマ４０７及び、電源部４０９を備えている。
【００３８】
制御部４０１は、中央処理装置（ＣＰＵ）等からなり、監視装置４全体を制御する。制御部４０１は、記憶部４０６に記憶されているプログラムに従い、無線通信部４０３を介して受信した測定結果情報に対する各種の演算処理や、各種の制御処理（無線通信部４０３の送信制御、タイマ４０７の制御等）を行う。
【００３９】
無線通信部４０３は、通信インターフェースであり、線量計２に対して基地局３（図１参照）を通じ無線通信により各種情報、データ、指令の送受信を行う。例えば、線量計２における線量測定部２０２（図４参照）の測定結果情報を受信したり、この情報に基づき制御部４０１にて演算した管理指標の演算結果情報を線量計２に送信したりする。
【００４０】
操作部４０４は、例えば、キーボード、ボタン、キー、タッチパネル型ディスプレイ、マイク等を含み、作業者等からの操作によるデータを取得して制御部４０１に出力する。
【００４１】
表示部４０５は、監視装置４を操作、管理するオペレータに対し、制御部４０１での演算処理結果や、無線通信部４０３で受信した線量計２の測定結果情報を表示するディスプレイによって構成される。
【００４２】
記憶部４０６は、線量計２の記憶部２０６と同様の構成となるが、念のために以下に説明する。記憶部４０６は、ＲＡＭやＲＯＭ、不揮発性メモリ等を備えている。ＲＯＭでは、制御部４０１が各種の演算、制御を行うためのプログラムや、アプリケーションとして機能するためのプログラム、データ等が記憶される。ＲＡＭは、制御部４０１の作業領域として用いられたり、無線通信部４０３により受信された情報等が制御部４０１を介して記憶される。ＲＡＭでは、ＲＯＭから読み出されたプログラムやデータ、操作部４０４から入力されたデータ、制御部４０１が各種プログラムに従って実行した演算結果等が一時的に記憶される。不揮発性メモリでは、制御部４０１の演算によって生成されたデータのうち、長期的な保存が必要なデータが記憶される。
【００４３】
なお、記憶部４０６の一部は、管理指標記憶部４０６ａとして機能し、管理指標記憶部４０６ａは、管理指標についての限界値や閾値、線量計２から送信された測定情報等を記憶する。
【００４４】
タイマ４０７は、線量計２の測定開始時からの経過時間を測定したり、予め設定した時間までの残時間を測定したりする機能を備え、その測定結果を制御部４０１に出力する。タイマ４０７は、放射線管理区域への入域時間と作業時間とから残作業時間を管理するために利用される。
【００４５】
電源部４０９は、例えば、商用電源等が採用され、上述の各部に対して電力を供給する。
【００４６】
図６は、監視装置における制御部の機能ブロック図である。図６に示すように、本実施の形態に係る制御部４０１は、画面切替指令作成部４０１ａ、管理指標作成部４０１ｂ、管理指標比較部４０１ｃとして機能する。これらの機能ブロックは、記憶部４０６に記憶されたプログラムが制御部４０１によって実行されることによって実現される。なお、図６に示す制御部４０１の機能ブロックは、本発明に関連する構成のみを示しており、それ以外の構成については省略している。また、管理指標作成部４０１ｂ、管理指標比較部４０１ｃは、線量計２の管理指標作成部２０１ｂ、管理指標比較部２０１ｃと同様の機能を有するものであるが、念のために以下に説明する。
【００４７】
画面切替指令作成部４０１ａは、表示部２０５（図３参照）において、所定の管理指標が表示される表示画面に切り替えまたは維持させる画面切替指令を作成する。画面切替指令作成部４０１ａは、作成した画面切替指令を無線通信部４０３によって線量計２に無線送信するよう制御する。このとき、画面切替指令に対し、表示すべき管理指標を含む表示画面データを作成して関連付け、無線送信するようにする。画面切替指令作成部４０１ａにおいて、画面切替指令は、プログラムに応じて所定タイミングで作成される他、管理指標比較部４０１ｃからの出力に応じて作成されたり、操作部４０４から操作によって作成されたりする。
【００４８】
管理指標作成部４０１ｂは、無線通信部４０３によって線量測定部２０２（図３参照）で計測した放射線の線量値を受信し、この線量値から積算線量や線量率を演算して求める。また、管理指標作成部４０１ｂは、タイマ４０７の測定結果に基づいて、放射線管理区域への入域時間と作業者の作業時間とから残作業時間を演算して求める。
【００４９】
管理指標比較部４０１ｃは、無線通信部４０３によって線量計２から受信した管理指標の積算線量、線量率及び残作業時間のそれぞれの限度値に対し、当該限度値に到達する前の閾値を演算する。そして、管理指標比較部４０１ｃは、演算した閾値と、タイマ４０７や線量測定部２０２の測定結果つまり管理指標の実測値とを比較する。この比較において、管理指標の実測値が閾値に到達した場合、当該到達したことを画面切替指令作成部４０１ａに出力する。なお、閾値は、管理指標比較部４０１ｃで演算せずに、操作部４０４によって直接入力して記憶部４０６に記憶させてもよい。
【００５０】
続いて、本実施の形態において、線量計２の監視制御及び表示部２０５の表示画面を切り替える制御の一例について、図３〜図６に加え、図７を参照して以下に説明する。図７は、表示画面の制御の流れを示すフローチャートである。なお、以下の説明では、線量計２の管理指標作成部２０１ｂ及び管理指標比較部２０１ｃによる制御を行わずに、管理指標作成部４０１ｂ及び管理指標比較部４０１ｃにより制御を行う場合について説明する。
【００５１】
先ず、線量計２の電源が投入されると、監視装置４との通信が開始され、監視装置４では、線量計２の表示部２０５で表示する初期の表示画面が設定される（ステップ（以下、「ＳＴ」という）１０１）。そして、画面切替指令作成部４０１ａによって、初期の表示画面となる画面切替指令が線量計２に送信され、かかる画面切替指令を線量計２が受信すると、表示制御部２０１ａの制御によって表示領域２５（図２参照）に初期の表示画面が表示される（ＳＴ１０２）。
【００５２】
その後、入退域管理システム（不図示）から、線量計２を携帯する作業者の放射線管理区域への入域時間と作業時間とを監視装置４が取得し、これらの時間がタイマ４０７に入力され、残作業時間Ｔの測定が開始される（ＳＴ１０３）。また、線量測定部２０２による放射線の線量の測定が開始され、その測定結果情報が監視装置４に無線送信される。無線送信された測定結果情報に基づいて管理指標作成部４０１ｂにより積算線量Ｄ及び線量率Ｒの測定結果が演算される（ＳＴ１０４）。
【００５３】
次いで、管理指標比較部４０１ｃにて、残作業時間Ｔの測定値と、残作業時間Ｔの閾値とを比較する（ＳＴ１０５）。残作業時間Ｔの測定値が残作業時間Ｔの閾値に到達（Ｔ≦閾値）する場合（ＳＴ１０５：Ｙｅｓ）、画面切替指令作成部４０１ａによって、残作業時間Ｔの測定値を含む表示画面になる画面切替指令を線量計２に無線送信する（ＳＴ１０６）。かかる画面切替指令を線量計２が受信すると、画面切替指令に応じ表示制御部２０１ａにより表示部２０５を制御する。この制御によって、表示領域２５（図２参照）の表示画面が、残作業時間Ｔの測定値を含むように切り替えられて表示される（ＳＴ１０７）。なお、ＳＴ１０２での初期の表示画面において、表示領域２５に残作業時間Ｔの測定値が表示されていれば、表示画面は切り替えられずに維持される。
【００５４】
ＳＴ１０５において、残作業時間Ｔの測定値が残作業時間Ｔの閾値より大きい場合（ＳＴ１０５：Ｎｏ）、管理指標比較部４０１ｃにて、積算線量Ｄの測定値と、積算線量Ｄの閾値とを比較する（ＳＴ１０８）。積算線量Ｄの測定値が積算線量Ｄの閾値に到達（Ｄ≧閾値）する場合（ＳＴ１０８：Ｙｅｓ）、画面切替指令作成部４０１ａによって、積算線量Ｄの測定値を含んだ表示画面になるよう画面切替指令を線量計２に無線送信する（ＳＴ１０９）。かかる画面切替指令を線量計２が受信すると、画面切替指令に応じ表示制御部２０１ａにより表示部２０５を制御する。この制御によって、表示領域２５（図２参照）の表示画面が、積算線量Ｄの測定値を含むように切り替えられて表示される（ＳＴ１０７）。なお、ＳＴ１０２での初期の表示画面において、表示領域２５に積算線量Ｄの測定値が表示されていれば、表示画面は切り替えられずに維持される。
【００５５】
ＳＴ１０８において、積算線量Ｄの測定値が積算線量Ｄの閾値より小さい場合（ＳＴ１０８：Ｎｏ）、管理指標比較部４０１ｃにて、線量率Ｒの測定値と、線量率Ｒの閾値とを比較する（ＳＴ１１０）。線量率Ｒの測定値が線量率Ｒの閾値に到達（Ｒ≧閾値）する場合（ＳＴ１１０：Ｙｅｓ）、画面切替指令作成部４０１ａによって、線量率Ｒの測定値を含んだ表示画面になるよう画面切替指令を線量計２に無線送信する（ＳＴ１１１）。かかる画面切替指令を線量計２が受信すると、画面切替指令に応じ表示制御部２０１ａにより表示部２０５を制御する。この制御によって、表示領域２５（図２参照）の表示画面が、線量率Ｒの測定値を含むように切り替えられて表示される（ＳＴ１０７）。なお、ＳＴ１０２での初期の表示画面において線量率Ｒの測定値が表示されていれば、表示画面は切り替えられずに維持される。
【００５６】
ＳＴ１１０において、線量率Ｒの測定値が線量率Ｒの閾値より小さい場合（ＳＴ１１０：Ｎｏ）、操作部４０４における入力（例えば、線量計２へのメッセージ入力等）があるか否かを判定する（ＳＴ１１２）。かかる入力がある場合（ＳＴ１１２：Ｙｅｓ）、画面切替指令作成部４０１ａによって、入力内容を含む表示画面になる画面切替指令を線量計２に無線送信する（ＳＴ１１３）。かかる画面切替指令を線量計２が受信すると、表示制御部２０１ａによって画面切替指令に応じ、表示領域２５（図２参照）の表示画面が、上記入力内容を含む表示画面に切り替えられて表示される（ＳＴ１０７）。ＳＴ１１２において、操作部４０４における入力がない場合（ＳＴ１１２：Ｎｏ）、残作業時間Ｔの測定（ＳＴ１０３）、積算線量Ｄ及び線量率Ｒの測定（ＳＴ１０４）が再開される。
【００５７】
なお、上述した監視装置４による線量計２の測定結果の監視制御について、当該監視制御を線量計２の制御部２０１において行ってもよい。この場合、監視装置４と線量計２とで無線通信を行わなくてもよく、画面切替指令作成部４０１ａ、管理指標作成部４０１ｂ、管理指標比較部４０１ｃ及びタイマ４０７の制御は、線量計２の表示制御部２０１ａ、管理指標作成部２０１ｂ、管理指標比較部２０１ｃ及びタイマ２０７によって行われる。
【００５８】
以上のように、本実施の形態によれば、作業者が線量計２を操作しなくても、同一の表示領域２５に複数の表示画面を切り替えて表示することができる。従って、作業者に負担がかからずに、残作業時間Ｔ、積算線量Ｄ、線量率Ｒ等のうち、作業者にとって必要性が高い数値や情報を作業者に容易且つ迅速に視認させることが可能となる。
【００５９】
また、線量計２に加速度センサ部２０８を設けたので、線量計２を振る操作で加速度センサ部２０８が検知する加速度に基づき、表示領域２５の表示画面を切り替えることができる。これにより、作業者が手袋を着用していたり、防護服越しに操作したりしても、従来のようなキーやボタンを押し下げる操作に比べ、操作負担の軽減を図ることができる。なお、線量測定部２０２を半導体検出器とすることで、振る操作に対し充分な耐久性（強度）を確保することができる。
【００６０】
本発明は上記実施の形態に限定されず種々変更して実施することが可能である。また、上記実施の形態で説明した数値、寸法、材質、方向については特に制限はない。その他、本発明の目的の範囲を逸脱しない限りにおいて適宜変更することが可能である。
【００６１】
例えば、線量計２の表示領域２５に切り替えて表示される表示画面は、上述したものに限定されるものでなく、線量計２を使用する上での種々の表示画面としてもよい。
【００６２】
また、管理指標は、放射線取扱施設での作業者を管理する際に用いられる指標として、上述した指標以外の数値を追加してもよい。
【００６３】
また、加速度センサ部２０８は、作業者が線量計２を扱う際の物理量を電気信号に変換する他のセンサに代替してもよい。例えば、所定の軸周りの角速度を検出する角速度センサ（ジャイロセンサ）としたり、所定方向に対する向きを検出する方位センサ（地磁気センサ）としたりしてもよい。
【符号の説明】
【００６４】
１  放射線管理システム
２  線量計
４  監視装置
２５  表示領域
２０１ａ  表示制御部
２０２  線量測定部
２０３  無線通信部
２０５  表示部
２０７  タイマ
２０８  加速度センサ部（センサ部）
４０１ｂ  管理指標作成部
４０３  無線通信部
４０６ａ  管理指標記憶部
【図１】
0006477287.tif 000002
【図２】
0006477287.tif 000003
【図３】
0006477287.tif 000004
【図４】
0006477287.tif 000005
【図５】
0006477287.tif 000006
【図６】
0006477287.tif 000007
【図７】
0006477287.tif 000008